(57)【要約】【課題】予め設定された時刻に自動的に電源をオンするとともに、この時刻に予め設定した放送チャンネルを受信するように動作する受信装置を提供することを目的とする。【解決手段】予め設定した時刻に自動的に電源をオンするオンタイマー機能を備える受信装置２０に、電源をオンする時刻と、この時刻に受信する放送チャンネルを設定するためのオンタイマーチャンネル設定手段を設ける。【選択図】　図１
0003097564.tif 000002
【実用新案登録請求の範囲】
【請求項１】
選択されたチャンネルの放送波を受信するとともに、受信した放送内容を出力するモニタ出力部を備え、予め設定された時刻に電源をオンするオンタイマー機能を備えてなる受信装置であって、
自動的に電源をオンする時刻、及び前記時刻に受信するチャンネルを予め設定するためのオンタイマーチャンネル設定手段を備えることを特徴とする受信装置。
【請求項２】
前記選択されたチャンネルの放送波の強度レベルを検出するための放送波検出手段をさらに備え、
前記放送波検出手段により前記オンタイマーチャンネル設定手段により設定されたチャンネルの放送波の強度レベルを検出し、該放送波の強度レベルが一定レベル未満であることを検出すると、前記オンタイマーチャンネル設定手段により設定された時刻に報知音を出力するように構成された請求項１に記載の受信装置。
【請求項３】
前記放送波が映像信号を含むテレビ放送波であり、
前記受信装置がテレビ放送波を受信するとともに、前記モニタ出力部がテレビモニタを備える映像受信装置であることを特徴とする請求項１に記載の受信装置。
【請求項４】
前記受信装置は、記録媒体を収納するとともに、収納した記録媒体の内容を再生して前記モニタ出力部に出力するための再生手段を備えることを特徴とする請求項３に記載の受信装置。
【請求項５】
前記再生手段を動作させる条件を設定するための予備モード設定手段をさらに備え、
前記オンタイマーチャンネル設定手段により設定された時刻に、前記オンタイマーチャンネル設定手段により設定されたチャンネルの放送内容に代えて、前記予備モード設定手段により設定された条件に基づき前記再生手段により再生した記録媒体の内容を前記モニタ出力部に出力するように構成された請求項４に記載の受信装置。
【請求項６】
前記選択されたチャンネルの放送波の強度レベルを検出するための放送波検出手段を備え、該放送波検出手段により前記オンタイマーチャンネル設定手段により設定されたチャンネルの放送波の強度レベルを検出するようにされた請求項５に記載の受信装置。
【請求項７】
前記オンタイマーチャンネル設定手段により設定されたチャンネルの放送波の強度レベルが一定レベル未満であることを検出すると、
前記オンタイマーチャンネル設定手段により設定された時刻に、前記予備モード設定手段により設定した条件に基づき前記再生手段により再生した記録媒体の内容を前記モニタ出力部に出力するように構成された請求項６に記載の受信装置。
【請求項８】
前記オンタイマーチャンネル設定手段により設定されたチャンネルの放送波の強度レベルが一定レベル未満であることを検出すると、前記オンタイマーチャンネル設定手段により設定された時刻に報知音を出力するように構成された請求項６に記載の受信装置。
【請求項９】
前記予備モード設定手段による設定がされない場合に、前記放送波検出手段により前記オンタイマーチャンネル設定手段により設定されたチャンネルの放送波の強度レベルが一定レベル未満であることを検出すると、前記オンタイマーチャンネル設定手段により設定された時刻に報知音を出力するように構成された請求項６に記載の受信装置。
【考案の詳細な説明】
【０００１】
【考案の属する技術分野】
本考案は、放送局より送信される放送波を受信する受信装置に関する。
【０００２】
【従来の技術】
映像等を受信する受信装置は、放送局より送信される放送波を受信し、この放送波に基づきモニタ出力部に映像や音声を出力する。これにより、受信装置を使用するユーザが放送局により放送される放送番組を視聴することができる。
【０００３】
ところで、この受信装置のなかには、予め設定された時刻になると自動的に電源をオンするオンタイマー機能を備えるものがある（例えば、特許文献１参照）。そして、このオンタイマー機能によって放送を受信することにより、放送中の音声や音楽がアラームとして用いられている。
【０００４】
【特許文献１】
特開平１０−２４８０４１号公報。
【０００５】
【考案が解決しようとする課題】
しかし、従来のオンタイマー機能によると、電源をオンして放送の受信を開始することはできても、この受信するチャンネルを予め任意に設定することはできなかった。そこで、本考案は、オンタイマー機能により電源をオンするにあたり、受信するチャンネルを予め設定することができる受信装置を提供することを目的とする。
【０００６】
【課題を解決するための手段】
上記課題を解決するため、本考案は、選択されたチャンネルの放送波を受信するとともに、受信した放送内容を出力するモニタ出力部を備え、予め設定された時刻に電源をオンするオンタイマー機能を備えてなる受信装置であって、
自動的に電源をオンする時刻、及び前記時刻に受信するチャンネルを予め設定するためのオンタイマーチャンネル設定手段を備えることを特徴とする受信装置である（請求項１）。
【０００７】
本考案にかかる受信装置によると、予め設定された時刻になると電源をオンするとともに、予め設定された放送チャンネルを受信するように動作させることができる。そして、この電源をオンした際に受信するチャンネルを、前記オンタイマーチャンネル設定手段により任意に設定することができる。
【０００８】
また、上記受信装置に、前記選択されたチャンネルの放送波の強度レベルを検出するための放送波検出手段を設け、
前記放送波検出手段により前記オンタイマーチャンネル設定手段により設定されたチャンネルの放送波の強度レベルを検出し、該放送波の強度レベルが一定レベル未満であることを検出すると、前記オンタイマーチャンネル設定手段により設定された時刻に報知音を出力するように構成することができる（請求項２）。
【０００９】
この考案によると、オンタイマーチャンネル設定手段により設定されたチャンネルの放送波の強度レベルが一定未満である場合には、このチャンネルは適正に受信できないチャンネルであるとして処理される。そして、この適正に受信できないチャンネルであることを、オンタイマー設定手段により設定された時間に報知音を出力することによって報知する。
【００１０】
また、前記放送波が映像信号を含むテレビ放送波であり、前記受信装置がテレビ放送波を受信するとともに、前記モニタ出力部がテレビモニタを備える映像受信装置である場合には（請求項３）、テレビ放送のチャンネルを受信することができる。これにより、オンタイマーチャンネル設定手段により設定された時刻に電源をオンして、設定されたチャンネルのテレビ放送を受信することができる。
【００１１】
また、前記テレビ放送を受信する受信装置に、記録媒体を収納するとともに、収納した記録媒体の内容を再生して前記モニタ出力部に出力するための再生手段を設けることができる（請求項４）。
【００１２】
これにより、この考案の受信装置によると、記録媒体に記録される内容を再生手段により再生してモニタ出力部に出力することもできる。
【００１３】
また、前記再生手段を備える受信装置について、前記再生手段を動作させる条件を設定するための予備モード設定手段を設け、
前記オンタイマーチャンネル設定手段により設定された時刻に、前記オンタイマーチャンネル設定手段により設定されたチャンネルの放送内容に代えて、前記予備モード設定手段により設定された条件に基づき前記再生手段により再生した記録媒体の内容を前記モニタ出力部に出力するように構成することができる（請求項５）。
【００１４】
この考案の受信装置によると、前記オンタイマーチャンネル設定手段により設定された時刻に、前記記録媒体の内容をモニタ出力部に出力させることができる。
【００１５】
また、前記予備モード設定手段を備えた受信装置について、前記選択されたチャンネルの放送波の強度レベルを検出するための放送波検出手段を設け、該放送波検出手段により前記オンタイマーチャンネル設定手段により設定されたチャンネルの放送波の強度レベルを検出するようにすることができる（請求項６）。
【００１６】
また、前記予備モード設定手段及び放送波検出手段を備えた受信装置について、前記オンタイマーチャンネル設定手段により設定されたチャンネルの放送波の強度レベルが一定レベル未満であることを検出すると、
前記オンタイマーチャンネル設定手段により設定された時刻に、前記予備モード設定手段により設定した条件に基づき前記再生手段により再生した記録媒体の内容を前記モニタ出力部に出力するように構成することができる（請求項７）。
【００１７】
この考案の受信装置によると、オンタイマーチャンネル設定手段により設定されたチャンネルの放送波の強度レベルが一定未満である場合には、このチャンネルは適正に受信できないチャンネルであるとして処理される。そして、この場合には、オンタイマーチャンネル設定手段により設定された時刻に、予備モード設定手段により設定された条件に基づき再生手段により再生した記録媒体の内容を前記モニタ出力部に出力する。
【００１８】
また、前記再生手段及び放送波検出手段を備える受信装置について、前記オンタイマーチャンネル設定手段により設定されたチャンネルの放送波の強度レベルが一定レベル未満であることを検出すると、前記オンタイマーチャンネル設定手段により設定された時刻に報知音を出力するように構成することができる（請求項８）。
【００１９】
この考案の受信装置によると、オンタイマーチャンネル設定手段により設定されたチャンネルの放送波の強度レベルが一定未満であることを検出すると、このチャンネルは適正に受信できないチャンネルであるとして処理される。そして、この場合には、前記オンタイマーチャンネル設定手段により設定された時刻に、報知音を出力する。
【００２０】
また、前記再生手段、予備モード設定手段及び放送波検出手段が設けられた受信装置について、前記予備モード設定手段による設定がされない場合に、前記放送波検出手段により前記オンタイマーチャンネル設定手段により設定されたチャンネルの放送波の強度レベルが一定レベル未満であることを検出すると、前記オンタイマーチャンネル設定手段により設定された時刻に報知音を出力するように構成することができる（請求項９）。
【００２１】
この考案の受信装置によると、オンタイマーチャンネル設定手段により設定されたチャンネルの放送波の強度レベルが一定未満であることを検出すると、このチャンネルは適正に受信できないチャンネルであるとして処理される。そして、予備モード設定手段による設定がされていない場合に、前記オンタイマーチャンネル設定手段により設定された時刻に報知音を出力する。
【００２２】
【考案の実施の形態】
以下、図１乃至図４に基づき、本考案の実施の形態について説明する。図１は、本考案にかかる受信装置の一実施形態である映像受信装置２０のブロック図である。映像受信装置２０は、チューナ１とＴＶ制御用メインマイクロコンピュータ（以下、「メインマイコン」と略す）２と映像信号処理回路（クロマ回路）３と音声処理回路５とテレビモニタ６とＤＶＤ記録再生手段１０を備えている。
【００２３】
チューナ１は、図示されないアンテナに接続されている。そして、チューナ１は、受信するべき放送チャンネルとして設定されたチャンネルのテレビ放送波を選択して受信する。チューナ１により選択するチャンネルは、後に説明するメインマイコン２によってチューナ１に設定される。
【００２４】
そして、この映像受信装置２０を使用するユーザが映像受信装置２０に受信するチャンネルを設定する操作を行うと、この設定されたチャンネルがチューナ１に設定される。
【００２５】
チューナ１が選択されたチャンネルの放送波を受信すると、受信した放送波に含まれる映像信号は、後に説明する映像信号処理回路３及びビデオ（ＶＩＤＥＯ）デコーダへ出力される。また、チューナ１により受信した放送波に含まれる音声信号は、特に図示しない回路を通って音声処理回路５に出力される。
【００２６】
映像信号処理回路（クロマ回路）３は、入力された映像信号を色信号（Ｒ、Ｇ、Ｂ）に変換する処理を行う。映像信号処理回路３で形成された色信号は、テレビモニタ６へ出力される。また、音声処理回路５は、入力された音声信号を処理し、この処理された音声信号をテレビモニタ６へ出力する。
【００２７】
テレビモニタ６は、テレビ画面とスピーカを備えている。そして、テレビモニタ６は、テレビ画面により映像信号処理回路３より入力された映像信号に基づく映像を出力する。また、テレビモニタ６は、スピーカにより音声処理回路５より入力された音声信号に基づく音声を出力する。このテレビモニタ６は、受信した放送チャンネルの放送内容を出力するためのモニタ出力部にあたる。
【００２８】
メインマイコン２は、映像受信装置２０の動作を制御する。メインマイコン２は、図示しないＣＰＵ（中央演算処理装置）とＲＯＭ（読み出し専用メモリ）とＲＡＭ（読み書き可能メモリ）を備えている。
【００２９】
メインマイコン２のＲＯＭには、映像受信装置２０の動作を制御するための制御プログラムが格納されている。また、メインマイコン２のＲＯＭには、テレビモニタ６のテレビ画面に動作メニューを表示するとともに、表示した動作メニューに基づきユーザによって入力された動作条件を読み込むための入力操作制御用のプログラムが格納されている。
【００３０】
また、メインマイコン２は、図示しないタイマーを内蔵し時間の管理を行っている。そして、メインマイコン２は、予め設定された時刻になると映像受信装置２０の電源をオンして動作を開始させる制御を行い、オンタイマー機能を実行するようにされている。
【００３１】
なお、映像受信装置２０は、商用の交流電源に接続されていれば、メインマイコン２は電力を供給されて動作している状態にある。即ち、映像受信装置２０が商用の電源に接続されていると、電源がオフされていても、メインマイコン２は電力を供給され制御プログラムを実行して動作している。そして、この映像受信装置２０の電源がオフされている状態においては、メインマイコン２は待機状態の動作を行っている。
【００３２】
また、映像受信装置２０には、放送波検出手段が設けられている。この放送波検出手段は、チューナ１に設定されたチャンネルの放送波の強度レベルを検出する。
【００３３】
そして、放送波検出手段により放送波の強度レベルが検出されると、メインマイコン２は、その放送波の強度レベルに基づき、チューナ１に設定された受信チャンネルを適正に受信できるか否か判断する。そして、メインマイコン２は、検出された放送波の強度レベルが一定レベル未満である場合には、そのチャンネルは適正に受信できないチャンネルであると判断する。
【００３４】
この放送波検出手段による放送波の強度レベルの検出を以下のように行うことができる。例えば、受信したチャンネルに含まれる音声信号が一定の強度レベルにない場合には、混入したノイズ音の信号の比率が相対的に高くなるので、ノイズ音の信号の波形を一定間隔で検出することによって放送波の強度レベルを検出することができる。
【００３５】
また、受信したチャンネルの映像信号に含まれるクロマ信号及び／又はカラー信号を検出し、信号が全く検出されないか電圧レベルが一定レベル未満であるかを検出することによって、放送波の強度レベルを検出することができる。
【００３６】
また、映像受信装置２０には、ＤＶＤ記録再生手段１０が設けられている。ＤＶＤ記録再生手段１０は、記録媒体としてＤＶＤ（ディジタルバーサタイルディスク）を用いる。
【００３７】
このＤＶＤ記録再生手段１０は、ＤＶＤディスクをディスク収納部１６に収納してＤＶＤディスクに記録される映像や音声を再生することができ、またＤＶＤディスクに映像や音声を記録することもできる。
【００３８】
ＤＶＤ用記録再生手段１０は、ＤＶＤ用マイクロコンピュータ（以下、「ＤＶＤ用マイコン」という）１１とビデオ（ＶＩＤＥＯ）エンコーダ１２とビデオ（ＶＩＤＥＯ）デコーダ１３とＭＰＥＧエンコーダ１４とＭＰＥＧデコーダ１５とディスク収納部１６を備えている。
【００３９】
ＤＶＤ用マイコン１１は、ＤＶＤ記録再生手段１０の動作の制御を行う。ＤＶＤ用マイコン１１は、図示しないＣＰＵ（中央演算処理装置）とＲＯＭ（読み出し専用メモリ）とＲＡＭ（読み書き可能メモリ）を備えている。ＤＶＤ用マイコン１１のＲＯＭには、ＤＶＤ記録再生手段１０の動作を制御するための制御プログラムが格納されている。
【００４０】
ＤＶＤ用マイコン１１は、メインマイコン２によって制御される。ＤＶＤ記録再生手段１０を動作させる条件は、後に説明するようにモニタ出力部６のテレビモニタを介して設定される。
【００４１】
そして、ＤＶＤ記録再生手段１０を動作させる条件はメインマイコン２に入力され、メインマイコン２は入力されたＤＶＤ記録再生手段１０の動作条件に応じてＤＶＤ用マイコン１１を制御する。
【００４２】
ビデオエンコーダ１２は、ディジタル方式に基づく映像信号及び／又は音声信号をアナログ方式に基づく信号に変換する処理を行う。そして、ビデオエンコーダ１２は、この処理した信号のうち映像信号を映像信号処理回路３に出力し、音声信号を音声処理回路５に出力する。
【００４３】
ビデオエンコーダ１２には、ＭＰＥＧデコーダ１５より出力されたディジタル方式に基づく信号が入力される。また、ビデオエンコーダ１２は、ＤＶＤ用マイコン１１により制御される。
【００４４】
ビデオデコーダ１３は、アナログ方式に基づく映像信号及び／又は音声信号をディジタル方式に基づく信号に変換する処理を行う。ビデオデコーダ１３には、チューナ１により受信したチャンネルの放送波に含まれる映像信号及び／又は音声信号が入力される。
【００４５】
ビデオデコーダ１３により処理された信号は、ＭＰＥＧエンコーダ１４に出力される。また、ビデオデコーダ１３は、ＤＶＤ用マイコン１１により制御される。
【００４６】
ＭＰＥＧエンコーダ１４は、ディジタル形式で表された動画の映像データを圧縮する処理を行う。ＭＰＥＧエンコーダ１４には、ビデオデコーダ１３より出力された信号が入力される。ＭＰＥＧエンコーダ１４において処理された信号は、ピックアップ１７に入力される。また、ＭＰＥＧエンコーダ１４は、ＤＶＤ用マイコン１１により制御される。
【００４７】
ＭＰＥＧデコーダ１５は、圧縮された動画の映像データを解凍する。即ち、圧縮用の符号体系で表された映像信号を元々の映像信号に復調させる。ＭＰＥＧデコーダ１５には、ＤＶＤディスクの再生によってＤＶＤディスクよりピックアップ１７に入力された信号が入力される。ＭＰＥＧデコーダ１５において処理された信号は、ビデオエンコーダ１２に出力される。また、ＭＰＥＧデコーダ１５は、ＤＶＤ用マイコン１１により制御される。
【００４８】
また、ＤＶＤ記録再生手段１０において、ＤＶＤディスクはディスク収納部１６に収納される。そして、ディスク収納部１６に収納されたＤＶＤディスクの再生又はＤＶＤディスクへの記録は、光ピックアップ１７によって行われる。
【００４９】
ＤＶＤ用記録再生手段１０が記録モードとされると、ＭＰＥＧエンコーダ１４より光ピックアップ１７に入力された信号に基づき、ディスク収納部１６に収納されるＤＶＤディスクへの記録が行われる。
【００５０】
一方、ＤＶＤ用記録再生手段１０が再生モードとされると、ディスク収納部１６に収納されたＤＶＤディスクに記録される映像や音声の内容は光ピックアップ１７によって読み出され、この読み出された信号はＭＰＥＧデコーダ１５へ出力される。
【００５１】
また、ＤＶＤ記録再生手段１０には、ディスク検出手段が設けられている。このディスク検出手段は、光ピックアップ１７より出力される光のディジタル信号を検出し、この光量のレベルによってディスク収納部１６にディスクが収納されているか否かを検出する。
【００５２】
即ち、ディスク検出手段は、ディスクが存在することにより一定の光量レベル以上のディスクからの反射光を検出することによってディスクが存在することを検出する。一方、ディスク検出手段は、ディスクが存在しない場合には、その反射光を検出しないことによってディスクが存在しないことを検出する。
【００５３】
次に、この映像受信装置２０を動作させる条件を設定するための動作メニューについて、図２（ａ）、（ｂ）を参酌しつつ説明する。図２は、テレビモニタ６のテレビ画面に表示された動作メニューの例を示している。図２（ａ）は、動作メニューのメインメニューの例である。図２（ｂ）は、メインメニューで設定された条件に対してさらに詳しい条件を入力するためのサブメニューの例である。
【００５４】
図２（ａ）に示される例では、メインメニューの項目として、「時刻」、「日付」、「モード」、「動作時間」、「予備モード」が表示されている。「時刻」は、この映像受信装置２０の電源をオンタイマー機能に基づいてオンさせ動作を開始する時刻を設定するための入力項目である。この例では、「時刻」として午前７：００が設定されている。
【００５５】
「日付」は、映像受信装置２０を動作させる日の条件を設定するための入力項目である。この例では、映像受信装置２０を毎日動作させることが設定されている。
【００５６】
また、この「日付」の項目により、映像受信装置２０を動作させる日を曜日によって設定するようにすることもできる。即ち、「日付」の項目により、月曜日や火曜日等の曜日を入力するようにすることができる。さらに、「日付」の項目により、映像受信装置２０を動作させる日として、月と日を設定するようにすることもできる。
【００５７】
「モード」は、オンタイマー機能に基づいて電源がオンされたときに動作させる基本の動作モードを設定するための入力項目である。この例では、基本の動作モードとしてテレビ（ＴＶ）放送の受信が設定されている。
【００５８】
「動作時間」は、電源をオンして動作を開始させてから動作を停止させるまでの時間を設定するための入力項目である。この例では、２時間動作させることが設定されている。
【００５９】
「予備モード」は、「モード」の項目によって設定された基本の動作モードで動作させることができない場合に予備的に動作させる動作モードを設定するための入力項目である。この例では、予備モードの動作も行わせることが設定されている。
【００６０】
次に、図２（ａ）に示されるメインメニューに対する入力を終了すると、図２（ｂ）に示されるサブメニューが表示される。図２（ｂ）には、サブメニューの項目として、「ＣＨ設定」、「音量」、「予備モード」が表示されている。
【００６１】
「ＣＨ設定」は、テレビ放送を受信する放送チャンネルを設定するための入力項目である。この例では、５チャンネルを受信することが設定されている。「音量」は、テレビモニタ６のスピーカにより音声を出力する音量のレベルを設定するための入力項目である。この例では、音量のレベルを２０とすることが設定されている。
【００６２】
「予備モード」は、予備モードとして動作させる条件を設定するための入力項目である。この例では、予備モードとして、ＤＶＤの第７プログラムを再生することが設定されている。
【００６３】
この動作メニューについて、図２に図示されない選択項目を設け、各曜日や日毎に異なる動作モードを設定するようにすることもできる。例えば、月曜日の基本の動作モードをテレビに設定し、火曜日の基本の動作モードをＤＶＤに設定するようにすることもできる。
【００６４】
以上に説明したメインメニュー及びサブメニューからなる動作メニューによると、テレビモニタに表示されたメニューに基づく入力を介して、映像受信装置２０の電源をオンする時刻を設定し、この時刻に受信するテレビ放送のチャンネルを設定することもできる。
【００６５】
以上の動作メニューは、電源をオンする時刻を設定するとともに、該時刻に受信するテレビ放送のチャンネルを設定するためのオンタイマーチャンネル設定手段にあたる。
【００６６】
また、以上の動作メニューを操作することにより、電源をオンした時刻に予備的に動作させる予備モードを設定することもできる。以上の動作メニューは、予備モードを設定するための予備モード設定手段にあたる。
【００６７】
また、映像受信装置２０は、図示されない操作用リモコンを備えている。操作用リモコンは、映像受信装置２０を使用するユーザが映像受信装置２０を操作するために用いられる。
【００６８】
操作用リモコンは、電源キー、動作メニュー表示キー、チャンネル選択キー、記録再生キー及び停止キーの他、映像受信装置２０の操作に必要な各種の操作キーを備えている。電源キーは、映像受信装置２０の電源をオン又はオフするための操作キーである。
【００６９】
動作メニュー表示キーは、テレビモニタ６のテレビ画面に前記動作メニューを表示させるための操作キーである。そして、動作メニュー表示キーを操作してテレビモニタに動作メニューを表示すると、操作用リモコンの各種のキーを操作して動作メニューに対する入力を行うことができる。
【００７０】
チャンネル選択キーは、映像受信装置２０により受信する放送チャンネルを選択するための操作キーである。チャンネル選択キーによりチャンネルを選択する操作を行うと、選択したチャンネルはチューナ１に設定され、該選択したチャンネルの放送内容をテレビモニタ６により視聴することができる。
【００７１】
記録再生キーは、ＤＶＤ記録再生手段１０を動作させるための操作キーである。この記録再生キーを操作することにより、ＤＶＤ記録再生手段１０を動作させることができる。そして、操作用リモコンは、この記録再生キーの操作に続いて、ＤＶＤ記録再生手段１０に対する各種の操作を行えるようにされている。
【００７２】
また、停止キーは、映像受信装置２０の動作を停止させるための操作キーである。この停止キーを操作すると、受信している放送チャンネルの受信を停止し、またディスクの内容を再生し又はディスクへ記録を行うＤＶＤ記録再生手段１０の動作が停止する。
【００７３】
この操作用リモコンが操作されると、操作の内容を表すリモコン制御信号がメインマイコン２に入力される。そして、メインマイコン２は、このリモコン制御信号に基づいて操作の内容を判断する。
【００７４】
次に、映像受信装置２０を動作させる例について、図３及び図４を参酌しつつ説明する。図３、図４は、映像受信装置２０の動作の手順を示すフローチャートである。
【００７５】
映像受信装置２０を商用電源に接続する。そして、操作用リモコンを操作して電源をオンし、動作を開始させる（Ｓ１）。次に、操作用リモコンを操作してテレビモニタ６のテレビ画面に動作メニューを表示し、電源をオンして動作を開始させる時刻、動作させる日付け、動作モード、音量、動作時間に関する設定を行う（Ｓ２）。また、Ｓ２において、図示されない受信チャンネルに関する設定、予備モードに関する設定等も行う。
【００７６】
次に、操作用リモコンを操作して電源をオフする（Ｓ３）。そして、Ｓ２において設定した時刻が到来するまで待機する（Ｓ４、ＮＯ）。そして、設定した時刻が到来すると（Ｓ４、ＹＥＳ）、自動的に電源をオンする（Ｓ５）。
【００７７】
次に、Ｓ２において設定した動作モードを実行する（Ｓ１１）。Ｓ２で入力した動作条件において、受信するチャンネル（ＣＨ）の指定がされたか否か判断する（Ｓ１２）。
【００７８】
Ｓ２においてチャンネルの設定が行われなかった場合には（Ｓ１２、ＮＯ）、前回電源をオフしたときの受信チャンネルを指定チャンネルとする（Ｓ１３）。また、Ｓ２において受信するチャンネルの設定が行われた場合には、このチャンネルを指定チャンネル（ＣＨ）とする（Ｓ１２、ＹＥＳ）。
【００７９】
次に、指定チャンネルの放送について、放送信号があることが適正に検出されたか否か判断を行う（Ｓ１４）。即ち、指定チャンネルの放送について放送波の強度レベルを検出し、指定チャンネルを適正に受信できるか否かの判断を行う。
【００８０】
指定チャンネルの放送信号があることが適正に検出され、指定チャンネルを適正に受信できると判断されると（Ｓ１４、ＹＥＳ）、Ｓ２において設定された音量にて指定チャンネルの放送を受信する（Ｓ１５）。
【００８１】
次に、操作用リモコンにより映像受信装置２０を停止させる停止操作が入力されたか否かを検出する（Ｓ１６）。そして、停止操作が入力されると（Ｓ１６、ＹＥＳ）、映像受信装置２０の動作を停止させ終了する（Ｓ２５）。
【００８２】
一方、Ｓ１６において停止操作の入力を検出しない場合には（Ｓ１６、ＮＯ）、Ｓ２において動作時間の設定が行われたか否か判断する（Ｓ１７）。Ｓ２において動作時間の設定が行われなかったと判断した場合には（Ｓ１７、ＮＯ）、Ｓ１６以降の手順を実行する。
【００８３】
また、Ｓ１７において、動作時間の設定が行われたと判断した場合には（Ｓ１７、ＹＥＳ）、動作時間が終了したか否かを判断する（Ｓ１８）。Ｓ１８において、動作時間が終了したと判断すると（Ｓ１８、ＹＥＳ）、映像受信装置２０の動作を停止させ終了する（Ｓ２５）。また、Ｓ１８において、動作時間が終了していないと判断すると（Ｓ１８、ＮＯ）、Ｓ１６以降の手順を実行する。
【００８４】
また、以上のＳ１４において、指定チャンネルの放送信号があることが適正に検出されず、指定チャンネルを適正に受信できないと判断すると（Ｓ１４、ＮＯ）、Ｓ２において予備モードの設定が行われたか否か判断する（Ｓ２１）。
【００８５】
Ｓ２１において、予備モードの設定が行われたと判断すると（Ｓ２１、ＹＥＳ）、予備モードに移行し、各音声を発生する動作を開始する（Ｓ２２）。予備モードとして、例えば図２（ｂ）に示さるようにＤＶＤの第７プログラムの再生が設定されていると、ＤＶＤ記録再生手段１０によりＤＶＤの第７プログラムの再生が行われる。そして、Ｓ２２の手順により予備モードの動作を開始した後に、Ｓ１６以降の手順を実行する。
【００８６】
また、Ｓ２１において、予備モードの設定が行われなかったと判断すると（Ｓ２１、ＮＯ）、報知音を発生させ（Ｓ２３）、Ｓ１６以降の手順を実行する。
【００８７】
以上に説明した映像受信装置２０によると、予め設定した時刻になると自動的に電源をオンし、予め設定した放送チャンネルの受信を開始する。また、設定された放送チャンネルを適正に受信できない場合には、映像受信装置２０は予備モードとして設定された内容に従って動作する。
【００８８】
また、予備モードの設定がされなかった場合で、設定した放送チャンネルを適正に受信できない場合には、報知音が出力される。これにより、この映像受信装置２０を使用するユーザは、報知音によって、設定した放送チャンネルは適正に受信できないことを知ることができる。
【００８９】
なお、映像受信装置２０について、設定した放送チャンネルを適正に受信できない場合に、予備モードの設定の有無にかかわらず、報知音を発生させるように構成することもできる。
【００９０】
また、以上の説明では、映像受信装置２０に、予備モードを実行するための手段として、ＤＶＤ記録再生手段１０を設ける例を挙げたが、その他の記録再生手段を設けることもできる。
【００９１】
例えば、記録媒体としてＣＤ（コンパクトディスク）を用いる記録再生手段や、ＨＤ（ハードディスク）を用いる記録再生手段を設けることもできる。また、記録再生手段として、ビデオテープを記録媒体として用いるＶＴＲ（ビデオテープレコーダ）を設けることもできる。
【００９２】
また、本考案にかかる映像受信装置には、予備モードを実行するための手段として、少なくとも記録媒体に記録される内容を再生する再生手段が設けられていればよく、記録手段は設けられていなくともよい。即ち、少なくとも再生手段を備えていれば、予備モードの実行により記録媒体の内容をテレビモニタ６に出力できるからである。
【００９３】
また、以上の説明では、テレビ放送を受信する機能を備える映像受信装置の例を挙げて説明した。本考案は、映像受信装置以外にも、ラジオ放送を受信するラジオ放送受信装置により実施することもできる。
【００９４】
即ち、ラジオ放送を受信する受信装置であっても、予め設定された時刻に電源を自動的にオンさせるとともに、この時刻に予め設定された放送チャンネルを受信するように動作させることができる。
【００９５】
そして、ラジオ放送を受信する受信装置に、ラジオ放送の放送波の強度レベルを検出する放送波検出手段を設けることができる。そして、放送波検出手段による放送波の強度レベルの検出を以下のように行うことができる。
【００９６】
例えば、受信したチャンネルに含まれる音声信号が一定の強度レベルにない場合には、混入したノイズ音の信号の比率が相対的に高くなるので、ノイズ音の信号の波形を一定間隔で検出することによって放送波の強度レベルを検出することができる。
【００９７】
そして、受信するチャンネルとして設定されたチャンネルの放送波が一定の強度レベル未満であることが検出されると、設定された時刻に電源をオンする際に報知音を出力させることができる。
【００９８】
【考案の効果】
本考案の受信装置によると、予め設定された時刻になると電源をオンするとともに、予め設定された放送チャンネルを受信するように動作させることができる。そして、この電源をオンした際に受信するチャンネルを、ユーザの選択により任意に設定することができる。
【図面の簡単な説明】
【図１】本考案の一実施形態である映像受信装置のブロック図である。
【図２】テレビモニタに表示される動作メニューの例を示す図である。
【図３】映像受信装置の動作の手順を示すフローチャートである。
【図４】映像受信装置の動作の手順を示すフローチャートである。
【符号の説明】
１　　チューナ
２　　ＴＶ制御用メインマイコン
３　　映像信号処理回路
５　　音声処理回路
６　　テレビモニタ
１１　　ＤＶＤマイコン
１２　　ビデオエンコーダ
１３　　ビデオデコーダ
１４　　ＭＰＥＧエンコーダ
１５　　ＭＰＥＧデコーダ
１６　　ディスク収納部
１７　　ピックアップ
２０　　映像受信装置
【図１】
0003097564.tif 000003
【図２】
0003097564.tif 000004
【図３】
0003097564.tif 000005
【図４】
0003097564.tif 000006